(57)【要約】【課題】打球力調整ハンドルを手で長い時間握って遊技をしていても、その手が極力疲れないようにして遊技を快適に続けることができる遊技機を提供する。【解決手段】内枠３の下部に発射レール２１、打球調整力伝達機構３６ａ，３６ｂなどが取着される取付基板１９とこれより前側に位置する取付カバー枠１０とを固着し、該取付カバー枠１０に打球槌２２の打球力を調整するために操作する打球力調整ハンドル１１を装着し、取付基板１９の前面に、その前面を含む面内で回動しかつ打球調整力伝達機構３６ａ，３６ｂと連係する軸受部材２４を取着し、打球力調整ハンドル１１の回動軸４８の後端中心部４８ａを軸受部材２４に係合させ、該打球力調整ハンドル１１を後端中心部４８ａを中心として水平面内で自在に往復回動させ、位置固定手段５５により打球力調整ハンドル１１が所望の位置に係脱自在に固定できるようにした。【選択図】図５
2008307324.tif 000002
【特許請求の範囲】
【請求項１】
外枠の前面に遊技盤が設置される内枠を装着し、前記内枠の下部に発射レール、打球槌、打球調整力伝達機構などの打球発射部材が取着される取付基板と該取付基板より前側に位置する取付カバー枠とを固着し、前記取付カバー枠に前記打球槌の打球力を調整するために操作する打球力調整ハンドルを装着してなる遊技機であって、
前記取付基板の前面に、前記取付基板の前面を含む面内で回動しかつ前記打球調整力伝達機構と連係する軸受部材を取着し、前記打球力調整ハンドルにおけるハンドルレバーの回動軸の後端中心部を前記軸受部材に係合すると共に該打球力調整ハンドルを前記回動軸の後端中心部を中心として水平面内で自在に往復回動するようにし、前記打球力調整ハンドルは、位置固定手段により所望の位置で係脱自在に固定できるようにしたことを特徴とする遊技機。
【請求項２】
前記位置固定手段は、前記取付カバー枠の後面に形成され前記回動軸の後端中心部を中心とする前方へ窪んだ円弧面状の凹弧面と、前記打球力調整ハンドルに設けられ前記凹弧面に摺接する円弧板部材と、前記取付カバー枠と前記取付基板との間に介装される固定部材とからなり、前記固定部材に前記円弧板部材の後面と対向位置すると共に前後方向へ摺動しかつ常に該円弧板部材を前側へ押圧するように付勢される押動部材を設け、前記円弧板部材の後面と前記押動部材の前面とに互いに噛合する噛合部を設け、前記押動部材により前記円弧板部材を前記凹弧面に押圧することにより前記打球力調整ハンドルが所望の位置で固定できるようにした請求項１記載の遊技機。
【請求項３】
前記位置固定手段は、前記打球力調整ハンドルに設けられ前面に噛合部を有すると共に前記回動軸の後端中心部を中心とする円弧状の円弧板部材と、前記取付カバー枠に互いに向き合うようにして軸着され先端が前記円弧板部材の噛合部側へ付勢されて該噛合部と係脱自在に係合する一対の爪部材と、からなり、前記両爪部材を前記円弧板部材前面の噛合部に噛合させることにより前記打球力調整ハンドルが所望の位置で固定できるようにした請求項１記載の遊技機。
【発明の詳細な説明】
【技術分野】
【０００１】
本発明は、遊技球であるパチンコ球を弾いて遊技を行なう遊技機に関するものである。
【背景技術】
【０００２】
従来、遊技機の一種であるパチンコ遊技機にあっては、球受皿に貯留される遊技球を発射レールの打球発射位置に供給し、打球槌によりそれら遊技球を一個ずつ打撃して遊技盤面に導くようにしている。その打球の打球力の調整は、パチンコ遊技機の前面下部に装着される打球力調整ハンドルにより行なわれる。この打球力調整ハンドルは、パチンコ遊技機の前面にほぼ水平に固定され、後握持部材と前握持部材とその間に介在され自在に回動し得るハンドルレバーとから構成される。そして、そのハンドルレバーを一方へ回動することにより、パチンコ球の打球力が調整できるようになっている（例えば、特許文献１参照。）。
【０００３】
【特許文献１】特開２００６−２０４５３５号公報（第４−５頁、図１、図４）
【発明の開示】
【発明が解決しようとする課題】
【０００４】
前記特許文献１に記載されるパチンコ遊技機にあっては、打球力調整ハンドルがパチンコ遊技機の前面に前方へ真直ぐに突出するようにして固定されている。このため、例えば、ハンドルレバーを所望の位置まで回動させた状態で、打球力調整ハンドルを長い時間手で握って遊技を楽しんでいると、打球力調整ハンドルを握っている手の手首が無理に曲げられ、しかも、ハンドルレバーを所定量回動させた状態で保持していることから、遊技者のその手に疲労が溜まり易く、ともすると苦痛を伴って手で握っておられなくなり、遊技を満喫することができなくなるという課題が有った。
【０００５】
そこで、本発明は上記課題を解決すべくなされたもので、打球力調整ハンドルを長い時間手で握って遊技をしていても、手の疲れを極力少なくして遊技を快適に続けることができるようにした遊技機を提供することを目的とするものである。
【課題を解決するための手段】
【０００６】
かかる目的を達成するため本発明に係る遊技機は、外枠の前面に遊技盤が設置される内枠を装着し、前記内枠の下部に発射レール、打球槌、打球調整力伝達機構などの打球発射部材が取着される取付基板と該取付基板より前側に位置する取付カバー枠とを固着し、前記取付カバー枠に前記打球槌の打球力を調整するために操作する打球力調整ハンドルを装着してなる遊技機であって、前記取付基板の前面に、前記取付基板の前面を含む面内で回動しかつ前記打球調整力伝達機構と連係する軸受部材を取着し、前記打球力調整ハンドルにおけるハンドルレバーの回動軸の後端中心部を前記軸受部材に係合すると共に該打球力調整ハンドルを前記回動軸の後端中心部を中心として水平面内で自在に往復回動するようにし、前記打球力調整ハンドルは、位置固定手段により所望の位置で係脱自在に固定できるようにしたことを特徴とする。
【０００７】
この際、位置固定手段は、前記取付カバー枠の後面に形成され前記回動軸の後端中心部を中心とする前方へ窪んだ円弧面状の凹弧面と、前記打球力調整ハンドルに設けられ前記凹弧面に摺接する円弧板部材と、前記取付カバー枠と前記取付基板との間に介装される固定部材とからなり、前記固定部材に前記円弧板部材の後面と対向位置すると共に前後方向へ摺動しかつ常に該円弧板部材を前側へ押圧するように付勢される押動部材を設け、前記円弧板部材の後面と前記押動部材の前面とに互いに噛合する噛合部を設け、前記押動部材により前記円弧板部材を前記凹弧面に押圧することにより前記打球力調整ハンドルが所望の位置で固定できるようにすることが好ましい。
【０００８】
また、他に位置固定手段は、前記打球力調整ハンドルに設けられ前面に噛合部を有すると共に前記回動軸の後端中心部を中心とする円弧状の円弧板部材と、前記取付カバー枠に互いに向き合うようにして軸着され先端が前記円弧板部材の噛合部側へ付勢されて該噛合部と係脱自在に係合する一対の爪部材と、からなり、前記両爪部材を前記円弧板部材前面の噛合部に噛合させることにより前記打球力調整ハンドルが所望の位置で固定できるようにしても良い。
【発明の効果】
【０００９】
本発明に係る遊技機は、打球力調整ハンドルにおけるハンドルレバーの回動軸の後端中心部を取付基板の前面に取着され自在に回動する軸受部材に係合し、打球力調整ハンドルを、前記回動軸の後端中心部を中心として水平面内で自在に往復回動するようにし、位置固定手段により所望の位置に係脱自在に固定できるようにした。よって、パチンコホールまたは遊技者の好みに合わせて打球力調整ハンドルの位置調整が自由に行なえることができるようになり、これによって遊技者の打球力調整ハンドルを握る手の疲労や苦痛を低減でき、遊技を満喫できるという効果が有る。
【００１０】
そこで、位置固定手段を、取付カバー枠の後面に形成され回動軸の後端中心部を中心とする前方へ窪んだ円弧面状の凹弧面と、打球力調整ハンドルに設けられ凹弧面に摺接する円弧板部材と、取付カバー枠と取付基板との間に介装される固定部材とからなり、固定部材に円弧板部材の後面と対向位置すると共に前後方向へ摺動しかつ常に該円弧板部材を前側へ押圧するように付勢される押動部材を設け、円弧板部材の後面と押動部材の前面とに互いに噛合する噛合部を設け、押動部材により円弧板部材を凹弧面に押圧することにより打球力調整ハンドルが所望の位置で固定できるようにする。打球力調整ハンドルはパチンコホール側が所望の位置を決めることができ、これにより遊技者の打球力調整ハンドルを握る手の疲労や苦痛を低減できる。
【００１１】
また、他に位置固定手段は、打球力調整ハンドルに設けられ前面に噛合部を有すると共に回動軸の後端中心部を中心とする円弧状の円弧板部材と、取付カバー枠に互いに向き合うようにして軸着され先端が円弧板部材の噛合部側へ付勢されて該噛合部と係脱自在に係合する一対の爪部材と、からなり、両爪部材を円弧板部材前面の噛合部に噛合させることにより打球力調整ハンドルが所望の位置で固定できるようにしても良い。これによっても、遊技者の打球力調整ハンドルを握る手の疲労や苦痛を低減できる。
【発明を実施するための最良の形態】
【００１２】
以下、本発明に係る遊技機の実施の形態を図面に基づき説明する。本発明は、例えばパチンコ遊技機、アレンジボール機、雀球遊技機、パロット（登録商標）機等の遊技機に適用されるが、その内、パチンコ遊技機について説明する。また、本発明に係るパチンコ遊技機には、パチンコホール側が打球力調整ハンドルの固定位置を調整できるものと、遊技者がパチンコ遊技機の前側から打球力調整ハンドルの固定位置を調整できるものとが有り、まず、第一実施の形態として前者について説明する。なお、本発明にあっては、パチンコ遊技機を正面から見た面を前面とし、その反対の裏面を後面とし、他の遊技盤などの部材も同じ向きを前面、後面とする。
【００１３】
図１は、第一実施の形態に係るパチンコ遊技機の正面図である。第一実施の形態に係るパチンコ遊技機Ｐ１は、木製からなる縦長長方形状の外枠１により周囲を囲われ、該外枠１の前面に遊技盤２を配設した内枠３が開閉自在に装着される。内枠３の前面には、前記遊技盤２の前面を覆う透明板保持枠４がその一側の軸支部５を中心として開閉自在に装着される。また、その下方に遊技盤２の下部前面を覆う前面板６が同じく開閉自在に装着されている。該前面板６の前面に、後記する発射レール２１の打球発射位置２１ａに供給する遊技球及び払い出された賞球としての遊技球を貯留するための球受皿７が装着されている。更に、内枠３の下部一側に前面が前面板６の前面と面一となるようにして取付カバー枠１０が固着され、該取付カバー枠１０に打球力調整ハンドル１１が装着される。
【００１４】
内枠３の中央部に、遊技盤２の前面が臨む開口１２が開設される。遊技盤２の前面には、内側ガイドレール１３ａと外側ガイドレール１３ｂとにより囲われるようにして遊技部２ａが形成される。該遊技部２ａに、例えば、その中央部に位置して数字、図柄等の情報を変動表示する表示部１４ａを備えた可変表示装置１４、その下方に位置して遊技球の入賞により前記情報を変動させる始動入賞口１５が装着されている。また、その下方に、前記可変表示装置１４の表示部１４ａの情報が停止し、特定の表示（例えば、「７７７」）に揃ったとき、一定の条件の下で一度に多くの賞球としての遊技球が得られる入賞装置１６が装着されている。
【００１５】
遊技盤２の遊技部２ａには、他に可変表示装置１４の両側下方に一般入賞口１７，１７が配置され、内側ガイドレール１３ａの内側下端には遊技部２ａに打ち込まれた遊技球であって入賞しなかった遊技球、いわゆるアウト球をパチンコ遊技機Ｐ１の外部に排出するためのアウト球口１８が設けられている。
【００１６】
図２、図４に示すように内枠３の下部前面に、種々の打球発射部材が取着された取付基板１９が固着される。該取付基板１９は、図５に示すように内枠３に開設された通孔２０を塞ぐようにして固着される。更に詳しく説明すると、取付基板１９の前面に打球発射部材としての発射レール２１が設けられ、その下方に打球部２２ａが発射レール２１の打球発射位置２１ａに臨む打球発射部材としての打球槌２２が軸着されている。該打球槌２２の軸部２３は、取付基板１９の後側まで貫通している。また、取付基板１９の前面であってその一側に、打球力調整ハンドル１１における後記するハンドルレバー４０の回動軸４８の後端中心部４８ａが係合する軸受部材２４が取着される。取付基板１９は、内枠３の下部にその後側から取着することも有り、この場合は内枠３の必要個所に開口または切欠を設けて取付基板が前側に露出するようにしている。
【００１７】
図４、図５に示しように、この軸受部材２４は短柱状をなすと共に前端面に略半球状の窪部２５が形成され、後端外周面に円形状のフランジ２６が周設されている。また、その後端面に、後方へ突出し取付基板１９に開設された軸孔２７に遊嵌する突部２４ａが設けられている。軸孔２７にその後側から突部２４ａに被さるようにして連結部材２８が嵌められ、その後側から軸受部材２４の後端面に開設された螺子孔２９に連結部材２８を介して螺子３０を螺合する。連結部材２８の外周縁には、歯部２８ａが周設されている。これによって軸受部材２４と連結部材２８とが一体になり、しかも、軸受部材２４が取付基板１９の前面を含む面内で自在に回動することになる。また、軸受部材２４が回動することにより、後記するように打球槌２２の打球力が調整できることになる。軸受部材２４は前側から保持板３１が嵌められ、該保持板３１を取付基板１９の前面に固着することにより、軸受部材２４がしっかりと保持される。
【００１８】
図３、図４に示すように取付基板１９の後面に、打球発射部材である駆動モータ３２が配置され、その一側に前記打球槌２２の軸部２３と一体に構成されるバネ枠体３３が配置される。該バネ枠体３３には、図６に示すように捻りバネ３３ａが装着される。この捻りバネ３３ａの一端は、取付基板１９の後面であって軸部２３に軸着される打球調整力伝達機構である歯車３５の一側に係止されている。また、その他端は、軸部２３の後端に一体に設けられた皿枠３３ｂに固着されている。皿枠３３ｂから軸部２３に対し直交する方向へ突出する突腕３４ａが一体に設けられ、該突腕３４ａの先端部に軸部２３と平行に配置されるローラ３４ｂが取着される。取付基板１９の後側であって歯車３５と前記連結部材２８の歯部２８ａとが、それらの間に配置されると共に軸着される打球調整力伝達機構としての一対の中間歯車３６ａ，３６ｂを介して連係されている。
【００１９】
図３、図６に示すように前記駆動モータ３２のモータ軸３２ａにカム３７が取着され、該駆動モータ３２の駆動により該カム３７が前記皿枠３３ｂから延設される突腕３４ａ先端のローラ３４ｂと係合し、間歇的にローラ３４ｂを捻りバネ３３ａの付勢に抗して押えつつ開放する。これに伴い、打球槌２２が往復回動動作を繰り返し、その打球部２２ａで打球発射位置２１ａに供給される遊技球を一個ずつ打撃する。この際、打球槌２２が遊技球を打撃する打撃力は、捻りバネ３３ａの一端の位置、すなわち該捻りバネ３３ａの一端と係止する歯車３５の回動量による。よって、軸受部材２４の回動量が多いと打撃力が強くなり、少ないと打撃力が弱くなる。そこで、軸受部材２４を所定の方向に回動することによって捻りバネ３３ａの捻り力が高まり、打球槌２２の打球力が強められることになる。
【００２０】
次に、打球力調整ハンドル１１について説明する。打球力調整ハンドル１１は、合成樹脂製であって、図４、図５に示すように後握持部材３８と前握持部材３９とこれらの間に介装され自在に回動するハンドルレバー４０とから大略構成されている。このハンドルレバー４０を回動させることにより、前記軸受部材２４が回動して遊技球の打球力が調整できることになる。
【００２１】
後握持部材３８は、前面が開放される椀状に形成され、その後部に後端面が開放される筒部３８ａが一体に設けられている。後握持部材３８の内部には、打球力調整ハンドル１１を手で握ったまま打球の発射を一時的に停止させるためのマイクロスイッチ４１、一部が後握持部材３８の外周縁から外側へ突出し指先で操作することによりマイクロスイッチ４１をオン・オフする操作摘み４２、ハンドルレバー４０を常に初期位置に復帰させるように付勢するコイルバネ４３及び前握持部材３９を連結するため先端部に螺子挿通孔４４を有する中空状の連結筒部４５が配設されている。前握持部材３９は、後面が開放すると共に該後面から前記各連結筒部４５に対応位置して後方へ突出する連結筒部４６が設けられる。これら連結筒部４６の後端には、前記螺子挿通孔４４と連通する螺子孔４６ａが設けられている。
【００２２】
ハンドルレバー４０は、円環状に形成され導電性を有する。そして、図４、図５に示すように、該ハンドルレバー４０は後握持部材３８と前握持部材３９とを分ける仕切壁４７の中央に、該ハンドルレバー４０の回動軸４８を固定するための横長矩形状の支持孔４９が開設される。また、仕切壁４７の周縁に沿って、前握持部材３９の前記３本の連結筒部４６が挿通される一対の円弧状の長孔５０，５０が開設される。ハンドルレバー４０の外周面には、その外周面に沿って握った手の各指を掛け止めするための指掛け部４０ａが複数個突設されている。回動軸４８は後握持部材３８の後端から後方へ突出する程度の長さを有し、回動軸４８の基端部、すなわち前端部にその中心線に対して直交する向きに方形状の小片５１が一体に設けられている。また、回動軸４８の先端部すなわち後端中心部４８ａは後方へ突出する半球状に形成され、該後端中心部４８ａの両側に回動軸４８の中心軸線に対して直交する係合ピン５３，５３が一文字状に突設されている。
【００２３】
そして、後握持部材３８内にマイクロスイッチ４１、操作摘み４２、コイルバネ４３を組み込みハンドルレバー４０を介在させて、その前側に前握持部材３９を配置する。次に、回動軸４８をハンドルレバー４０中央の支持孔４９にその前側から挿通し、先端部の小片５１を支持孔４９内に嵌め込んで固定すると共にその後端中心部４８ａ側を後握持部材３８内に挿通する。更に、図６に示すように後握持部材３８の各連結筒部４５をハンドルレバー４０の長孔５０，５０に挿通して各先端を前握持部材３９の各連結筒部４６に当接する。この状態で、後握持部材３８の後側から各連結筒部４５内にネジ５４を挿通し、螺子挿通孔４４を介して各螺子孔４６ａに螺締することにより、前・後握持部材３８，３９及びハンドルレバー４０が一体に組み立てられる。
【００２４】
図２、図４に示すように内枠３の下部前面に配置固定される取付カバー枠１０は正面がほぼ方形状をなし、その前壁１０ａの外周縁に後方へ折れ曲がる側壁１０ｂが設けられ、後面は開放している。該取付カバー枠１０は、前記取付基板１９よりも前側に位置している。そして、図６に示すように前壁１０ａの中央部に該前壁１０ａを前側へ膨出させ、後面に前方へ窪んだ円弧面状の位置固定手段としての凹弧面５５が形成される。詳しくはこの凹弧面５５は、前記回動軸４８の後端中心部４８ａを中心としかつ水平面内で回動軸４８を往復回動させたときに、その先端部の辿る軌跡とほぼ同じ曲率半径を有する弧面として形成される。また、凹弧面５５に対応位置させて横長楕円形状の挿通孔５６が開設される。
【００２５】
取付カバー枠１０の後側には、後握持部材３８に嵌合して打球力調整ハンドル１１に装着される位置固定手段としての円弧板部材５７が配置される。該円弧板部材５７は、前面が前記取付カバー枠１０の後面の凹弧面５５に合致して摺接する凹弧板５８を備え、該凹弧板５８の前面から前方へ突出するようにして保持筒部５９が一体に設けられている。該保持筒部５９は、前面が開放されると共に後面を塞ぐ後壁５９ａの中央に前記回動軸４８が挿通される軸孔５９ｂが開設される。また、図７に示すように凹弧板５８の上部裏面に、その弧面に沿って複数の歯６０ａを列設した噛合部６０が設けられている。
【００２６】
また、円弧板部材５７を取付カバー枠１０における前壁１０ａの後面の凹弧面５５に沿わせて左右に摺動できるように保持するため、円弧板部材５７の上下方位置に位置固定手段としての上部の固定部材６１と下部の固定部材６２が配置される。上部の固定部材６１は、前面が開放される箱枠体６１ａを有し、螺子挿通部６１ｂにビス６３を挿通し取付カバー枠１０の後面に螺締して固着される。該箱枠体６１ａ内には、前側から挿通するようにして平面略Ｔ字状の押動部材６４が設けられる。該押動部材６４は、円弧板部材５７の後面と対向位置して前後方向へ自在に摺動するようになっている。また、図７に示すように上部の固定部材６１の内面と押動部材６４との間に圧縮スプリング６４ａが介装され、押動部材６４により円弧板部材５７を常に凹弧面５５に押圧するようにしている。押動部材６４の前面には、前記円弧板部材５７における後面の噛合部６０の歯６０ａと噛合する歯６５ａを有する噛合部６５が設けられる。押動部材６４における後側の摘枠部６６は、上部の固定部材６１の後壁６１ｃに開設された引き出し口６７から後方へ突出されている。下部の固定部材６２も、ビス６３を螺締することにより取付カバー枠１０の後面に固着される。
【００２７】
そこで、打球力調整ハンドル１１を取付カバー枠１０の前側から挿通孔５６に挿通すると共に円弧板部材５７の保持筒部５９に挿通する。また、図５に示すように保持筒部５９の下部に設けられた螺子挿通孔６８を介して、該螺子挿通孔６８と合致する後握持部材３８の螺子孔３８ｂに螺子６９を螺締しておく。更に、回動軸４８の後端中心部４８ａを、軸受部材２４の窪部２５に挿入する。このとき、後端中心部４８ａの両係合ピン５３，５３を、軸受部材２４に設けられ前端が開放する切欠溝２４ｂ，２４ｂに係合させる。軸受部材２４における窪部２５の内周面の曲率半径と回動軸４８における後端中心部４８ａの外周面の曲率半径はほとんど同じに設定され、窪部２５内で後端中心部４８ａが上下左右いずれの方向にも自在かつ円滑に摺動するようになっている。そこで、回動軸４８がその中心軸線に対して直交する面内で回動するのに伴い、軸受部材２４も取付基板１９の前面を含む面内で同時に回動することになる。しかも、前記両噛合部６０，６５との噛合を解いた状態では、打球力調整ハンドル１１が回動軸４８の後端中心部４８ａを中心として水平面内で自在に回動することになる。
【００２８】
第一実施の形態に係るパチンコ遊技機Ｐ１は上記構成からなる。この場合は、打球力調整ハンドル１１の所望の位置をパチンコホール側が決定することから、パチンコホールに設置された各パチンコ遊技機Ｐ１について、あらかじめその所望の位置を設定しておく。そのためには、前面板６を開き取付カバー枠１０の後側に手を差し込み、摘枠部６６を摘んで図７の矢視方向に示すように後方へ引き押動部材６４を後方へ後退させ、両噛合部６０，６５の噛合を解く。この状態で、同図矢視方向に示すように打球力調整ハンドル１１を水平面内でその回動軸４８の後端中心部４８ａを中心として回動させ所望の位置を決め、その位置で押動部材６４を離して再び両噛合部６０，６５を噛合させて打球力調整ハンドル１１を固定する。
【００２９】
これにより、遊技者は打球力調整ハンドル１１を握り易くなる。そして、遊技者はハンドルレバー４０を握ると共に一方へ回動させることにより、駆動モータ３２が駆動してモータ軸３２ａが低速で回転する。これに伴い、そのカム３７がバネ枠体３３における突腕３４ａ先端のローラ３４ｂに所定の間隔置きに係合し、打球槌２２を打球準備位置と打球発射位置との間で往復回動させて発射レール２１の打球発射位置２１ａに一個ずつ供給される遊技球を打撃することになる。この際、ハンドルレバー４０をいずれかに回動させることにより、遊技球の打撃力の強弱を調節する。このようにして、長く使用した場合における握る手の疲労や苦痛を低減できる。
【００３０】
次に、第二実施の形態に係るパチンコ遊技機Ｐ２について説明する。この第二実施の形態に係るパチンコ遊技機Ｐ２は、第一実施の形態に係るパチンコ遊技機Ｐ１と取付カバー枠１０の構造が異なるのみであって、他の構成は全く同一なので、その異なる要部についてのみ説明する。また、第一実施の形態に係るパチンコ遊技機Ｐ１と同一部位は、同一番号を附すことにより詳しい説明は省略する。第二実施の形態に係るパチンコ遊技機Ｐ２では、打球力調整ハンドル１１の所望の位置が遊技者によって決められるようになっている。
【００３１】
すなわち、図８に示すように円弧板部材５７２は、凹弧板５８２前面の保持筒部５９の両側に歯６０ａを列設した噛合部６０が設けられ、その後面には噛合部６０が設けられていない。また、取付カバー枠１０２は前側に第一前壁１０２ａと第二前壁１０２ｂが前後に位置して設けられ、後側の第二前壁１０２ｂに開設された挿通孔５６の両側外周縁にそれぞれ爪部材７０が装着される。
【００３２】
各爪部材７０は、互いに向き合うようにして配置され、第二前壁１０２ｂの前面に立設される一対の支壁７１，７１間に差し渡された横軸７２に軸着される爪部７０ａを有し、その先端部を尖らせると共に基端部に横軸７２を越えるようにして作動片７３が一体に設けられている。また、横軸７２には捻りコイルバネ７４が巻装され、その一端が爪部７０ａの上面に係合し、他端が第二前壁１０２ｂに固着されている。これにより、各爪部材７０は、共にその先端部が凹弧板５８２の前側面に設けられた噛合部６０側に付勢され、常に先端部が噛合部６０に係合するようになっている。
【００３３】
第一前壁１０２ａの前面には、前記各爪部材７０の作動片７３に対向位置させて押ボタン７５が配設される。各押ボタン７５は、圧縮バネ７６により常に前方へ突出するように付勢されており、該各押ボタン７５を後方へ押すことによって、その後端が各爪部材７０の作動片７３を後方へ押す。これにより、各爪部材７０が爪部７０ａの先端を引き上げ、凹弧板５８の噛合部６０との係合が解かれるようになっている。例えば、一方の押ボタン７５を押すことによって同じ側の爪部材７０の爪部７０ａの係合が解かれ、この状態では、他方の爪部材７０に係わりなく凹弧板５８が係合を解いた爪部材７０側へ回動できるようになっている。いわゆる、各爪部材７０がワンウェイクラッチとして機能する。
【００３４】
そこで、第二パチンコ遊技機Ｐ２に付いた遊技者は、まず、打球力調整ハンドル１１を向かって右側へ移動させたいときは、向かって右側の押ボタン７５を図８の矢視方向に示すように押した状態で、打球力調整ハンドル１１を右側へ移動させる。そして、所望の位置でその押ボタン７５から指を離せば、その位置で両爪部材７０，７０が噛合部６０に噛合して打球力調整ハンドル１１が固定される。また、逆に打球力調整ハンドル１１を向かって左側へ移動させたいときは、向かって左側の押ボタン７５を押した状態で、打球力調整ハンドル１１を左側へ移動させる。そして、所望の位置でその押ボタン７５から指を離せば、その位置で両爪部材７０，７０が噛合部６０に噛合して固定される。よって、この場合も長く使用した場合における握る手の疲労や苦痛を低減できる。
【００３５】
また、第一・第二実施の形態に係るパチンコ遊技機Ｐ１，Ｐ２のように、打球力調整ハンドル１１を水平面内で自在に回動できるようにしているのは次の理由にもよる。すなわち、近年、遊技盤２面の内側・外側ガイドレール１３ａ，１３ｂの内径が次第に大きくなりつつある。このように、内側・外側ガイドレール１３ａ，１３ｂが大きくなると、発射レール２１がパチンコ遊技機Ｐ１，Ｐ２の中央に寄り、これに伴い打球力調整ハンドル１１も中央に寄ることになる。しかしながら、その前側には球受皿７が配置されていることから、打球力調整ハンドル１１が球受皿７に衝突してその取付けが困難になる。よって、このような場合に、前記実施の形態のような構成を採れば打球力調整ハンドル１１の取付が容易に行なえることになる。
【図面の簡単な説明】
【００３６】
【図１】第一実施の形態に係るパチンコ遊技機の正面図。
【図２】同透明板保持枠及び前面板を外した打球力調整ハンドル部位の正面図。
【図３】同取付基板の背面図。
【図４】同打球力調整ハンドル部位の分解斜視図。
【図５】図２のＸ−Ｘ線断面図。
【図６】図２のＹ−Ｙ線断面図。
【図７】図２のＺ−Ｚ線断面図。
【図８】第二実施の形態に係るパチンコ遊技機の打球力調整ハンドル部位の平面断面図。
【符号の説明】
【００３７】
１            外枠
２            遊技盤
３            内枠
１１          打球力調整ハンドル
１９          取付基板
２１          打球発射部材（発射レール）
２２          打球発射部材（打球槌）
２４          軸受部材
４０          ハンドルレバー
４８          回動軸
４８ａ        後端中心部
５５          位置固定手段（凹弧面）
５７          位置固定手段（円弧板部材）
６０          噛合部
６１          位置固定手段（固定部材）
６４          押動部材
６５          噛合部
Ｐ１          遊技機（パチンコ遊技機）
Ｐ２          遊技機（パチンコ遊技機）
【図１】
2008307324.tif 000003
【図２】
2008307324.tif 000004
【図３】
2008307324.tif 000005
【図４】
2008307324.tif 000006
【図５】
2008307324.tif 000007
【図６】
2008307324.tif 000008
【図７】
2008307324.tif 000009
【図８】
2008307324.tif 000010